【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
第１の外側表面および第２の外側表面を有する移植片材料を含み、前記移植片材料は、前記移植片材料の前記第１の外側表面と前記第２の外側表面との間において内部のチャンバを規定し、さらに、
前記チャンバを遮り、前記チャンバによって取り囲まれた、前記移植片材料の少なくとも１つの領域を含む、医療用移植片。
【請求項２】
前記移植片材料の前記少なくとも１つの領域に規定される貫通孔をさらに含み、前記貫通孔は、前記移植片材料の前記第１の外側表面と前記第２の外側表面との間に延在する、請求項１に記載の医療用移植片。
【請求項３】
前記移植片材料は、細胞成長を支持するためのマトリクスを含む、請求項１または２に記載の医療用移植片。
【請求項４】
前記チャンバの第１の境界を規定する前記移植片材料の第１の壁部と、
前記チャンバの第２の境界を規定する前記移植片材料の第２の壁部とを含み、
前記第１および第２の壁部は、前記移植片材料の前記少なくとも１つの領域を与えるよう、互いに積層される、請求項１〜３のいずれか１つに記載の医療用移植片。
【請求項５】
前記第１の壁部および第２の壁部は細胞外マトリクス材料を含む、請求項４に記載の医療用移植片。
【請求項６】
複数の前記領域を含む、請求項１〜５のいずれか１つに記載の医療用移植片。
【請求項７】
前記領域の各々は貫通孔を規定する、請求項６に記載の医療用移植片。
【請求項８】
前記移植片材料によって規定される周囲のフランジをさらに含み、前記周囲のフランジは前記内部のチャンバのまわりを延在する、請求項１〜７のいずれか１つに記載の医療用移植片。
【請求項９】
前記周囲のフランジの前記移植片材料によって規定される少なくとも１つの開いた通路をさらに含み、前記開いた通路は、前記フランジおよび開口部を通って前記内部のチャンバ内に延在する、請求項８に記載の医療用移植片。
【請求項１０】
内部のチャンバ、および前記内部のチャンバのまわりの周囲のフランジを規定する移植片材料と、
前記移植片材料によって規定される開いた通路とを含み、前記開いた通路は、前記フランジおよび開口部を通って前記内部のチャンバ内に延在する、医療用移植片装置。
【請求項１１】
前記通路において取外し可能に受けられるカニューレをさらに含む、請求項１０に記載の医療用移植片装置。
【請求項１２】
前記カニューレに流体に関して結合される流体注入装置をさらに含む、請求項１１に記載の医療用移植片装置。
【請求項１３】
前記移植片材料は、細胞成長を支持するためのマトリクスを含む、請求項１０〜１２のいずれかに記載の医療用移植片装置。
【請求項１４】
前記移植片材料は細胞外マトリクス材料を含む、請求項１０〜１３のいずれかに記載の医療用移植片装置。
【請求項１５】
移植片材料と、
前記移植片材料を輸送するためのハンドル構造とを含み、前記ハンドル構造は前記移植片材料に接続され、好ましくは、前記ハンドル構造は、前記移植片材料内において取外し可能に受けられる第１の部分と、前記移植片材料の外部にある第２の部分とを有する、医療用移植片アセンブリ。
【請求項１６】
前記移植片材料内に流体を送給するための液体送給カニューレをさらに含み、前記液体送給カニューレは、前記移植片材料内において取外し可能に受けられ、前記移植片材料の内部と流体を流通する第１の開口部を有する第１の部分を有し、前記液体送給カニューレは、さらに、前記移植片材料の外部にあり、前記第１の開口部と流体を流通する第２の開口部を有する第２の部分を有する、請求項１５に記載の医療用移植片アセンブリ。
【請求項１７】
前記液体送給カニューレは前記ハンドル構造に接続される、請求項１６に記載の医療用移植片アセンブリ。
【請求項１８】
前記移植片材料は内部のチャンバを規定する、請求項１５または１７のいずれかに記載の医療用移植片アセンブリ。
【請求項１９】
前記ハンドル構造は、前記ハンドル構造の前記第１の部分および前記第２の部分を与える第１の長尺の部材を含む、請求項１５〜１８のいずれかに記載の医療用移植片アセンブリ。
【請求項２０】
前記ハンドル構造は第２の長尺の部材をさらに含み、前記第２の長尺の部材は、前記ハンドル構造の第３の部分を与え、前記第３の部分は、前記移植片材料内において、前記第１の部分から間隔を置かれて取外し可能に受けられる、請求項１９に記載の医療用移植片アセンブリ。
【請求項２１】
前記ハンドル構造の前記第１の部分および前記第３の部分は、それらの間において前記移植片材料のセグメントを懸下する、請求項２０に記載の医療用移植片アセンブリ。
【請求項２２】
前記移植片材料は、請求項１〜１４のいずれか１つに記載の移植片材料である、請求項１５〜２１のいずれかに記載の医療用移植片アセンブリ。
【請求項２３】
液体充填可能な移植片材料と、
前記液体充填可能な移植片材料に取外し可能に接続される液体導入ポート取付け具とを含む、医療用移植片装置。
【請求項２４】
前記導入ポート取付け具に結合される液体注入装置、好ましくはシリンジをさらに含む、請求項２３に記載の医療用移植片装置。
【請求項２５】
前記移植片材料に取外し可能に接続されるハンドル構造をさらに含む、請求項２３または２４に記載の医療用移植片装置。
【請求項２６】
前記導入ポート取付け具は前記ハンドル構造に接続される、請求項２５に記載の医療用移植片装置。
【請求項２７】
前記ハンドル構造は受け部を規定し、前記導入ポート取付け具は前記受け部において取外し可能に受けられる、請求項２６に記載の医療用移植片装置。
【請求項２８】
前記移植片材料は細胞外マトリクス材料を含む、請求項２３〜２７の記載のいずれかに記載の医療用移植片装置。
【請求項２９】
前記移植片材料は、請求項１〜１４のいずれかに記載の移植片材料である、請求項２３〜２８のいずれかに記載の医療用移植片装置。
【請求項３０】
請求項１〜１４のいずれかに記載の医療用移植片、請求項１５〜２２のいずれかに記載の医療用移植片アセンブリ、または請求項２３〜２９のいずれかに記載の医療用移植片装置と、
前記移植片材料が受けられるトレイエンクロージャとを含む、医療用移植片機器。
【請求項３１】
前記トレイエンクロージャは選択された領域において前記移植片材料を加圧する、請求項３０に記載の医療用移植片機器。
【請求項３２】
トレイエンクロージャと、
前記トレイエンクロージャにおいて受けられる移植片材料とを含み、
前記トレイエンクロージャは選択された領域において前記移植片材料を加圧する、医療用移植片機器。
【請求項３３】
前記選択された領域は、加圧されていない移植片材料の内側領域のまわりに加圧された移植片材料の周囲を形成する、請求項３２に記載の医療用移植片機器。
【請求項３４】
前記内側領域は前記移植片材料において内部のチャンバを規定する、請求項３３に記載の医療用移植片機器。
【請求項３５】
前記選択された領域は、前記移植片材料において規定される長尺の流体通路に境界をつける、請求項３２〜３４のいずれかに記載の医療用移植片機器。
【請求項３６】
前記流体通路は、前記移植片材料の外表面から、前記移植片材料によって規定される内部のチャンバに延在し、前記内部のチャンバは前記流体通路より大きな容積容量を有する、請求項３５に記載の医療用移植片機器。
【請求項３７】
前記医療用移植片材料は、選択された領域において、互いに積層される少なくとも２枚の移植片材料を含む、請求項３２〜３６のいずれかに記載の医療用移植片機器。
【請求項３８】
前記移植片材料は請求項１〜１４のいずれか１つに記載の移植片材料である、請求項３２〜３７のいずれかに記載の医療用移植片機器。
【請求項３９】
トレイエンクロージャと、
前記トレイエンクロージャにおいて受けられる液体透過性の移植片材料と、
前記液体透過性の移植片材料の少なくとも一部に液体を向けるよう動作可能である液体導入ポートと、
前記トレイエンクロージャによって規定される液体捕捉ウェルとを含み、好ましくは、前記液体捕捉ウェルは前記液体透過性の移植片材料の前記少なくとも一部より下に位置する、医療用移植片機器。
【請求項４０】
前記液体導入ポートは前記液体透過性の移植片材料の選択された部分に液体を向けるよう動作可能であり、前記液体捕捉ウェルは前記選択された部分より下に位置する、請求項３９に記載の医療用移植片機器。
【請求項４１】
前記選択された部分の液体透過性の移植片材料は内部のチャンバを規定する、請求項４０に記載の医療用移植片機器。
【請求項４２】
前記液体捕捉ウェルは、前記移植片材料の前記内部のチャンバを取り囲む前記トレイエンクロージャの隔室の一部を形成する、請求項４１に記載の医療用移植片機器。
【請求項４３】
前記トレイエンクロージャは、前記内部のチャンバを取り囲む領域において前記移植片材料を加圧する、請求項４２に記載の医療用移植片機器。
【請求項４４】
前記液体導入ポートは、前記移植片材料を介して形成される通路を含む、請求項３９〜４３のいずれかに記載の医療用移植片機器。
【請求項４５】
前記液体導入ポートは、前記通路において受けられるカニューレをさらに含む、請求項４４に記載の医療用移植片機器。
【請求項４６】
前記移植片材料は請求項１〜１４のいずれかに記載の移植片材料である、請求項３９〜４５のいずれかに記載の医療用移植片機器。
【請求項４７】
複数の内部のボイドを規定する移植片材料を含み、前記複数の内部のボイドは、（ｉ）内部のチャンバと、（ｉｉ）前記移植片材料の外表面から前記内部のチャンバに延在する内部の通路とを含み、さらに、
前記移植片材料が受けられるトレイエンクロージャを含み、前記トレイエンクロージャは、前記移植片材料を、前記内部のチャンバにおいてではなく、前記内部のチャンバのまわりで周辺的に加圧し、前記トレイエンクロージャは、さらに、前記移植片材料を、前記内部の通路においてではなく、前記内部の通路に沿って周辺的に加圧する、医療用移植片機器。
【請求項４８】
前記移植片材料に取外し可能に結合されるハンドル構造をさらに含む、請求項４７に記載の医療用移植片機器。
【請求項４９】
前記ハンドル構造に取付けられる受け部と、
前記受け部において取外し可能に受けられる液体導入取付け具と、
前記液体導入取付け具に流体に関して結合されるカニューレとをさらに含み、前記カニューレは、前記移植片材料の前記内部の通路において取外し可能に受けられる、請求項４８に記載の医療用移植片機器。
【請求項５０】
請求項１〜１４のいずれかに記載の医療用移植片、請求項１５〜２２のいずれかに記載の医療用移植片アセンブリ、または請求項２３〜２９のいずれかに記載の医療用移植片装置と、
前記医療用移植片、前記医療用移植片アセンブリまたは前記医療用移植片装置を無菌状態で包囲する無菌のエンクロージャとを含む、医療用移植片機器。
【請求項５１】
移植片材料と、
前記移植片材料を輸送するためのハンドル構造とを含み、前記ハンドル構造は前記移植片材料に接続され、さらに、
前記移植片材料内に流体を送給するための流体送給チューブを含み、前記流体送給チューブは、前記移植片材料の内部と流体を流通する第１の開口部と、前記第１の開口部から間隔を置かれた第２の開口部とを有し、さらに、
前記チューブにおいて前記第１の開口部と前記第２の開口部との間に位置決めされる、針により貫通可能な隔壁を含む、医療用移植片機器。
【請求項５２】
前記流体送給チューブは前記ハンドル構造に接続される、請求項５１に記載の医療用移植片機器。
【請求項５３】
前記移植片材料は内部のチャンバを規定し、前記第１の開口部は前記内部のチャンバと流体を流通する、請求項５１または５２に記載の医療用移植片機器。
【請求項５４】
前記ハンドル構造は、前記ハンドル構造の前記第１の部分および前記第２の部分を与える第１の長尺の部材を含む、請求項５１〜５３のいずれかに記載の医療用移植片機器。
【請求項５５】
前記ハンドル構造は第２の長尺の部材をさらに含み、前記第２の長尺の部材は、前記ハンドル構造の第３の部分を与え、前記第３の部分は、前記移植片材料内において、前記第１の部分から間隔を置かれて取外し可能に受けられる、請求項５４に記載の医療用移植片機器。
【請求項５６】
前記ハンドル構造の前記第１の部分および第３の部分は、それらの間において前記移植片材料のセグメントを懸下する、請求項５５に記載の医療用移植片機器。
【請求項５７】
前記移植片材料は請求項１〜１４のいずれか１つに記載の移植片材料である、請求項５２〜５６のいずれかに記載の医療用移植片機器。
【請求項５８】
前記移植片材料と、前記ハンドル構造の少なくとも一部と、前記流体送給チューブの少なくとも一部とを無菌状態で包囲する無菌のエンクロージャをさらに含む、請求項５１〜５７のいずれか１つに記載の医療用移植片機器。
【請求項５９】
請求項１〜１４のいずれかに記載の医療用移植片、請求項１５〜２２のいずれかに記載の医療用移植片アセンブリ、または請求項２３〜２９のいずれかに記載の医療用移植片装置、または請求項３０〜５８のいずれかに記載の医療用移植片機器と、
前記移植片材料に適用される液体添加物とを含む、医療品。
【請求項６０】
前記液体添加物は細胞を含む、請求項５９に記載の医療品。
【請求項６１】
請求項１〜１４のいずれかに記載の医療用移植片の移植片材料、請求項１５〜２２のいずれかに記載の医療用移植片アセンブリ、または請求項２３〜２９のいずれかに記載の医療用移植片装置、または請求項３０〜５８のいずれかに記載の医療用移植片機器に液体添加物を送給するステップを含む、医療用移植片材料を調製するための方法。
【請求項６２】
前記移植片材料は内部のチャンバを規定し、前記送給するステップは、前記液体添加物を前記内部のチャンバに送給することを含む、請求項６１に記載の方法。
【請求項６３】
前記液体添加物は治療用物質を含む、請求項６１または６２に記載の方法。
【請求項６４】
前記液体添加物は細胞を含む、請求項６１〜６３のいずれか１つに記載の方法。